(57)【特許請求の範囲】
【請求項１】
信号を送信することができる幾つかの送信アンテナによって少なくとも１つのデータパケットを送信する方法において、
第１のデータパケットを第１の符号化ブロックに及び第２のデータパケットを第２の符号化ブロックに符号化するステップと、
第１の周波数チャンネルを少なくとも１つの送信アンテナを含む第１のセットにマッピングするステップと、
第２の周波数チャンネルを少なくとも１つの送信アンテナを含む第２のセットにマッピングするステップであって、前記第１の周波数チャンネルが前記第２の周波数チャンネルと異なっている、ステップと、
少なくとも１つの送信アンテナの前記第１のセット及び少なくとも１つの送信アンテナの前記第２のセットで前記第１の符号化ブロックを送信するステップと、
前記第１の周波数チャンネルの受信品質が閾値よりも低品質であるならば、
前記第１の周波数チャンネルと異なっている前記第２の周波数チャンネルまたは第３の周波数チャンネルを、少なくとも１つの送信アンテナを含む前記第１のセットにマッピングするステップと、
前記第２の符号化ブロックを、少なくとも１つの送信アンテナの前記第１のセット及び少なくとも１つの送信アンテナの前記第２のセットで送信するステップと、
を含む、前記方法。
【請求項２】
前記第１の周波数チャンネルにおける前記受信品質が前記閾値よりも高品質であるならば、前記第２の周波数チャンネルと異なっている前記第１の周波数チャンネルを少なくとも１つの送信アンテナを含む前記第２のセットの少なくとも一部にマッピングするステップと、前記第２の符号化ブロックを、少なくとも１つの送信アンテナの前記第１のセット及び少なくとも１つの送信アンテナの前記第２のセットで送信するステップと、を含む、請求項１に記載の方法。
【請求項３】
雑音レベルに応じてアンテナをマッピングするステップを含み、各雑音レベルが各周波数に関連付けられている、請求項１から２のいずれか一項に記載の方法。
【請求項４】
雑音レベルが送信機において測定される、請求項２に記載の方法。
【請求項５】
所定の周波数で少なくとも受信品質レベルに応じてアンテナをマッピングするステップと、受信機によって送信される少なくとも受信品質レベル情報を受信するステップと、を含む、請求項１から４のいずれか一項に記載の方法。
【請求項６】
前記受信品質レベル情報は符号化ブロックの宛先として使用された受信機によって送信される、請求項５に記載の方法。
【請求項７】
前記第１の符号化ブロックの送信は、少なくとも１つの送信アンテナの前記第１のセットについて第１の電力レベルで行われ、及び、少なくとも１つの送信アンテナの前記第２のセットについて第２の電力レベルで行われ、前記第１の電力レベルは前記第２の電力レベルよりも低い、請求項１から６のいずれか一項に記載の方法。
【請求項８】
前記第１のデータパケットの前記第１の符号化ブロックへの符号化は空間時間ブロック符号化または空間周波数ブロック符号化である、請求項１から７のいずれか一項に記載の方法。
【請求項９】
信号を受信することができる幾つかの受信アンテナによって少なくとも１つのデータブロックの受信の方法であって、
送信周波数チャンネルマッピングの変更をチェックするステップと、
第１の周波数チャンネルを少なくとも１つの受信アンテナを含む第１のセットにマッピングするステップと、
前記第１の周波数チャンネルと異なる第２の周波数チャンネルを少なくとも１つの受信アンテナを含む第２のセットにマッピングするステップと、
少なくとも１つの受信アンテナの前記第１のセット及び少なくとも１つの受信アンテナの前記第２のセットで少なくとも第１の符号化ブロックを受信するステップと、
少なくとも１つの受信した第１の符号化ブロックを少なくとも１つの第１のデータパケットに復号化するステップと、
前記第１の周波数チャンネルにおける信号の受信品質をテストするステップと、
を含む、前記方法。
【請求項１０】
所定の周波数における少なくとも受信品質レベルを示す情報を送信するステップを含み、該情報は前記第１の符号化ブロックを送信する送信機に送信される、請求項９に記載の方法。
【請求項１１】
受信アンテナについて前記周波数チャンネルマッピングを、前記チェックした結果に応じて送信機によって使用された送信周波数に適合させるステップを含む、請求項１０に記載の方法。
【発明の詳細な説明】
【技術分野】
【０００１】
本発明は無線デジタル通信の分野に関する。特に詳細には、本発明は、送信用の幾つかのアンテナおよび／または受信用の幾つかのアンテナを使用するシステムにおいて雑音があるチャンネルを介して送信されるべき信号を送信し、またはこの信号を受信するために効率的な方法を処理する。
【背景技術】
【０００２】
無線通信のために、アプリケーションがますます多くのデータを処理するようにデータ処理能力を増加させることが必要である。チャンネルボンディング（すなわち、１度に１チャンネル周波数より多くを用いること）は無線ソリューションのデータレートを拡張する公知技術である。特に、ＭＩＭＯ技術での空間次元の使用が出現している。容量の改善はチャンネル拡張より同じ次数に到達し、すなわち、送信側及び受信側でのアンテナ数を２倍にすることはビットレートを２倍にする。ＭＩＭＯに関連した技術は無線装置の能力および／または信頼性を大いに増加させる一方、送信した電力及び割り当てられたスペクトラム帯域幅を一定に維持する。この特徴はそれらの技術を多くの構成（例えば、２地点間通信用、または１点対多点間通信用すなわち放送システム用）において無線システムにとして特に魅力あるものにしている。
【０００３】
加えて、最近の無線ソリューションは１つのチャンネルから他のチャンネルに動的に移動させる能力を意味するＤＦＳ(Dynamic Frequency Selection:動的な周波数選択)機構を統合することができ、全てのアンテナが１つのチャンネルから他のチャンネルに同時に移動する。実はこの技術の欠点は、様々な種類のソリューションに適合されていないことである。
【発明の概要】
【発明が解決しようとする課題】
【０００４】
本発明は従来技術のそれらの欠点を解決することを目的としている。
【０００５】
特に、本発明の目的は、データパケットの良好な送信または受信を可能にすることによりＭＩＭＯシステムにおいて通信を最適化することである。
【課題を解決するための手段】
【０００６】
本発明は、信号を送信することができる幾つかの送信アンテナによって１つのまたは幾つかのデータパケットを送信する方法に関する。送信品質を改善するために、その方法は、第１のデータパケットを第１の符号化ブロックに符号化し、第２のデータパケットを第２の符号化ブロックに符号化するステップ、第１の送信チャンネル周波数を少なくとも１つの送信アンテナを含む第１のセットにマッピングするステップ、上記第１の送信チャンネル周波数と異なる第２の送信チャンネル周波数を少なくとも１つの送信アンテナを含む第２のセットにマッピングするステップ、少なくとも１つの送信アンテナの上記第１のセット及び少なくとも１つの送信アンテナの上記第２のセットで上記第１の符号化ブロックを送信するステップ、第１の送信チャンネル周波数の受信品質が閾値より低品質であるならば、第２の送信チャンネル周波数、または第１の送信チャンネル周波数と異なる第３の送信チャンネル周波数を少なくとも１つの送信アンテナを含む上記第１のセットにマッピングするステップ、少なくとも１つの送信アンテナの上記第１のセット及び少なくとも１つの送信アンテナの第２のセットで上記第２の符号化ブロックを送信するステップを含む。
【０００７】
更に、有利には、データパケットの送信（例えば、フレームは宛先アドレスを含む）は、幾つかのアンテナで符号化後の送信であり、アンテナについての周波数マッピングは少なくとも２つの異なる周波数が用いられるようにされる。その結果、受信品質は全ての周波数について同じではなく（例えば、雑音、干渉、フェーディング、ドップラー効果等のため）、受信機による送信パケットの受信品質は改善される。
【０００８】
変形例によれば、その方法は、第１の送信周波数で信号の受信品質のテストを行うステップを備え、特定の特徴によれば、その方法は、第２の送信周波数で信号の受信品質のテストを行うステップを備え、受信品質が閾値より高品質であるならば、その方法は、第１の送信チャンネル周波数または第２のチャンネル周波数とは異なる第３の送信チャンネル周波数を少なくとも１つの送信アンテナを含む上記第２のセットの少なくとも一部にマッピングするステップ、少なくとも１つの送信アンテナの上記第１のセット及び送信アンテナの上記第２のセットで上記第２の符号化ブロックを送信するステップを含む。
【０００９】
特定の特徴によれば、その方法は複数の雑音レベルに応じてアンテナのマッピングを行うステップを備え、各雑音レベルは周波数に関連付けされている。
【００１０】
特定の実施形態においては、雑音レベルは送信機で測定される。
【００１１】
好ましい実施形態においては、その方法は、所定の周波数で少なくとも受信品質レベルに応じてアンテナをマッピングするステップ、少なくとも受信品質レベル情報を受信するステップを含み、上記受信品質レベル情報は受信機によって送信される。
【００１２】
それらの実施形態の変形例においては、上記受信品質レベル情報は、第１の符号化ブロックの宛先として使用された受信機によって送信される。
【００１３】
有利には、少なくとも１つの送信アンテナの上記第１のセットでの上記第１の符号化ブロックの送信は、第１の電力レベルでされ、少なくとも１つの送信アンテナの上記第２のセットでの上記第１の符号化ブロックの送信は、第２の電力レベルでされ、上記第１の電力レベルは上記第２の電力レベルより小である。
【００１４】
特定の特徴によれば、第１のデータパケットの上記第１の符号化ブロックへの符号化は空間時間間符号化または空間周波数符号化である。
【００１５】
また、本発明は、信号を受信することができる幾つかの受信アンテナによって１つのまたは幾つかのデータブロックを受信する方法に関する。受信品質を改善するために、その方法は、第１の受信チャンネル周波数を少なくとも１つの受信アンテナを含む第１のセットにマッピングするステップ、上記第１の受信チャンネル周波数と異なる第２の受信チャンネル周波数を少なくとも１つの受信アンテナを含む第２のセットにマッピングするステップ、少なくとも１つの受信アンテナの上記第１のセット及び少なくとも１つの受信アンテナの上記第２のセットで少なくとも第１の符号化ブロックを受信するステップ、少なくとも１つの受信した第１の符号化ブロックを少なくとも１つの第１のデータパケットに復号化するステップ、送信機が送信チャンネル周波数を送信アンテナにマッピングすることができるように第１の受信チャンネル周波数で信号の受信品質をテストするステップを含む。
【００１６】
特定の特徴によれば、受信方法は、所定の周波数で少なくとも受信品質レベルを表す情報を送信するステップを備え、その情報は上記第１の符号化ブロックを送信する送信機に送信される。
【００１７】
特定の特徴によれば、受信方法は送信チャンネル周波数マッピングの変更をチェックするステップを含む。
【００１８】
有利には、受信方法は、受信アンテナについてマッピングするチャンネル周波数を、上記チェックした結果に応じて送信機によって使用された送信周波数に適合させるステップを含む。
【００１９】
本発明はよく理解され、他の特徴及び利点が後述の詳細な説明の読み取りにより明確になる。詳細な説明では添付図面が参照される。
【図面の簡単な説明】
【００２０】
【図１】無線ネットワークを表す図である。
【図２】本発明による方法でデータを送信することができるデータ送信機の機能的なアーキテクチャ例を表す図である。
【図３】本発明の特定の実施形態によるデータ受信機の機能的なアーキテクチャ例を表す図である。
【図４】図２の送信機及び図３の受信機各々のハードウエアアーキテクチャ例を表す図である。
【図５】図２の送信機及び図３の受信機各々のハードウエアアーキテクチャ例を表す図である。
【図６】図２の送信機と図３の受信機との間の２つの通信状況を概略的に表す図である。
【図７】図２の送信機と図３の受信機との間の２つの通信状況を概略的に表す図である。
【図８】図２の送信機において実施される送信方法を表す図である。
【図９】図３の受信機において実施される受信方法を表す図である。
【発明を実施するための形態】
【００２１】
本発明は、幾つかの送信アンテナおよび／または幾つかの受信アンテナを有するシステムにおいて送信アンテナおよび／または受信アンテナによる送信周波数の動的な選択及びその選択周波数の特定の使用を可能にする。本発明によれば、幾つかの送信アンテナに適用された周波数は変更することができる一方、他の送信アンテナは割り当てられた他の周波数（または他の複数の周波数）のままである。よって、送信アンテナへの周波数の割り当て（またはマッピング）は動的に管理され、送信チャンネルに応じて最適化され得る。例えば、幾つかの雑音がある周波数を避けることができ、または全ての送信された信号の周波数が変更される前に幾つかの周波数をテストすることができる（ＤＦＳ技術の場合には、全ての送信アンテナが同じ周波数に同時に変化し、それで、全ての送信アンテナを異なる状態に、例えば、送信アンテナのオンザフライテスト(on the fly test)にまたは異なる周波数の混合が良好な受信のために適している状態に適合させることができない）。本発明によれば、また、その方法は幾つかのパラメータ（例えば、干渉、雑音、所望の処理能力）に応じてデータの送信／受信への適応を持つことが容易であるように変更後、初期の周波数に戻すことを可能にする。本発明によれば、信号／雑音比率のレベルを最適化するまたは干渉レベルを低くする周波数の混合を考慮に入れるようにアンテナについての周波数マッピングを決定することができる。また、本発明は、幾つかの受信アンテナの使用に基づき、異なる周波数で信号を受信するように適合された受信方法に関する。
【００２２】
アンテナについての周波数マッピングは本明細書では変調されたシンボル（例えば、マルチキャリア変調のためのＯＦＤＭシンボル、ＰＳＫ信号搬送波シンボル、またはＱＡＭ信号搬送波シンボル）の送信のために使用される周波数を含む周波数帯域にアンテナが割り当てられることを意味する。２つのアンテナについてマッピングされた２つの異なる周波数は、それらの送信アンテナおよび／または受信アンテナに割り当てられたそれらの周波数帯域の中心周波数が異なることを意味する。
【００２３】
図１は幾つかの局１０００〜１００２を備える無線ネットワーク１を示している。各局１０００〜１００２はＭＩＭＯ(Multiple Input Multiple Output:多入力多出力)アンテナシステムを用いる送信機及び受信機を備えている。局１０００は無線リンクを介して局１００１及び１００２と通信する。
【００２４】
図２はＭＩＭＯ雑音チャンネルを介して送信された信号の符号化に適用された本発明による方法でデータを送信することができるデータ送信機２の機能的なアーキテクチャ例を示している。データ送信機２を局１０〜１２において実装することができる。
【００２５】
送信機２は、変調器２１と、ＳＴＢＣ(Space Time Block Code:空間時間ブロック符号)／ＳＦＢＣ(Space Frequency Block Code:空間周波数ブロック符号)符号器２５と、入力信号２６１〜２６ＮtxをＯＦＤＭ変調器で変調するＮtx個のＯＦＤＭ変調器２７１〜２７Ｎtxと、ＯＦＤＭ変調器２７１〜２７Ｎtxと各々関連付けられたＮtx個のアンテナ２８１〜２８Ｎtxと、リモート送信機からの信号を受信するために適合された受信モジュール２９と、モジュール２９から受信されたデータを復調及び復号し、それらをアプリケーションまたは制御モジュール２１１に送信する復号モジュール２１０を備える。
【００２６】
ここで、アンテナ２８１〜２８ＮtxはＲＦ(Radio Frequency：高周波)部（特に、周波数変換、電力増幅、及びフィルタリング）を含むとして考慮される。有利には、それは送信された信号の歪みを避けることができる線形化ＨＰＡ(High Power Amplifier:大電力増幅器 )を含む。各アンテナ２８１〜２８ＮtxはＦi（ｉは１〜Ｎtxに各々等しい）で示された周波数で信号を送信するように適合される。復号モジュールは異なる可能周波数での雑音レベル（例えば、干渉および／または信号／雑音の比率）および／または受信品質レベルを制御モジュール２１１に送信する。第１の実施形態では、送信機２によって送信された信号を受信する受信機は（例えば、送信機２により及びたぶん他の送信機により送信されている信号の）少なくとも１の可能周波数、できることならば各可能周波数Ｆ１〜Ｆmaxで受信品質のレベルを調べ、この情報を何らかの方法で（例えば、無線または有線リンクを介して）送信機２に送信する。この情報は復号モジュール２１０に供給され、復号モジュール２１０はその情報を復号し、制御モジュール２１１にそれを送信する。それにより、制御モジュール２１１は使用可能な周波数のセットを決定及び選択し、アンテナ２８１〜２８Ｎtx毎に対応する周波数を決定及び選択する。その結果、制御モジュール２１１は各アンテナ２８１〜２８Ｎtxがそれ自身と関連付けられた選択した周波数Ｆ１〜ＦＮtxを用いるようにＯＦＤＭ変調器２７１〜２７Ｎtxを制御する。
【００２７】
本発明の変形例によれば、受信モジュール２９及び復号モジュール２１０は、使用可能なその周波数での干渉レベルを分析するスペクトラムセンサによって置き換えられ、対応する結果を制御モジュール２１１に送信する。
【００２８】
送信機２は、例えば、ＱＡＭ変調(Quadrature Amplitude Modulation:直交振幅変調)(例えば、１６ＱＡＭまたは６４ＱＡＭ)である第１の変調をなす変調器２１によってデジタル変調されている２値信号をアプリケーションから受信する。変調器２１はＱ’複素ＱＡＭシンボルＳ１〜ＳＱ’の群を生成する。Ｑ’は例えば、１０２４に等しく、送信アンテナ数（Ｎtx）及びサブキャリアの数とＳＴＢＣ／ＳＦＢＣの比率との積に等しい。例えば、符号レートはに等しく、Ｎtxは２に等しく、サブキャリアの数は５１２に等しい。Ｑ’シンボルの各群は符号器２５で符号化されてＳＴＢＣ／ＳＦＢＣコードワードを形成する。ＳＴＢＣ／ＳＦＢＣは例えば、J. -C. Belfiore, G. Rekaya, E. Viterboにより著された文献(IEEE Transactions on Information Theory, vol. 51, n. 4, pp. 1432-1436, ２００５年４月発行)"The Golden Code: A 2 x 2 Full-Rate Space-Time Code with Non-Vanishing Determinants"に開示されたゴールデンコード(Golden code)である。ＳＴＢＣ／ＳＦＢＣは次元Ｎtx*Ｎの複素行列に基づいており、ＮはＳＴＢＣ／ＳＦＢＣの時間の次元である。
【００２９】
符号器２５の出力では、専用信号２６１〜２６ＮtxをＯＦＤＭ変調器２７１〜２７Ｎtxの各々に送信する時間／周波数マッパ(mapper)において生成された信号がマッピングされている。そして、各変調器２７１〜２７Ｎtxはその入力信号をＯＦＤＭ変調信号に変調し、たぶんフィルタリング後、その信号をその選択した周波数に置き換えて（通常、無線送信信号で行われるように）それを増幅し、最後にアンテナ２８１〜２８Ｎtx各々に送信する。その結果、要約すると、情報データは選択周波数Ｆ１〜ＦＮtxで各アンテナ２８１〜２８ＮtxによってＭＩＭＯチャンネルを通じて送信される。
【００３０】
本発明に従った送信機には多くの変形例がある。
【００３１】
（前述の送信機に従った）他の変形例によれば、第１の変調はいずれかのデジタル変調、例えば、シングルキャリアまたはマルチキャリアｎＰＳＫ（ｎ位相値を有する位相シフトキーイング用）またはｎＱＡＭ（例えば、ｎは１６，３２，６４，２５６，．．．に等しい）であれば良い。
【００３２】
実施例の変形例によれば、符号器２５は空間多重化（例えば、ＶＢＬＡＳＴ送信スキームに基づいた空間多重化、ＶＢＬＡＳＴは、（Gerard. J. FoschiniによってBell Laboratories Technical Journalの１９９６年１０月号の４１−５９頁に書かれた題目"Layered Space-Time Architecture for Wireless Communication in a Fading Environment When Using Multi-Element Antennas"の文献に開示された "Ｂｅｌｌ  Ｌａｂｓ  Ｌａｙｅｒｅｄ  Ｓｐａｃｅ  Ｔｉｍｅ（ベル研究所階層化空間時間）を意味する）である。
【００３３】
図３は本発明の特定の実施形態に応じたデータ受信機３の機能的なアーキテクチャ例を示している。その受信機３は送信機２によって無線チャンネルを介して送信された信号を受信する。このチャンネルは雑音を含み、加法的白色ガウス雑音（またはＡＷＧＮ：Additive White Gaussian Noise）及びおそらく干渉等の他の雑音を含む。また、受信信号はマルチパスエコー、信号フェーディングおよび／またはドップラー効果による影響を受けた可能性がある。局１０００〜１００２においてデータ受信機３を実装することができる。
【００３４】
データ受信機３は、Ｎrx個のアンテナ３０１〜３０Ｎrxと、アンテナ３０１〜３０Ｎrx各々によって送信された雑音を含むＯＦＤＭ変調信号を各々復調するＮrx個のＯＦＤＭ復調器３１１〜３１Ｎrxと、時間／周波数デマッパ(demapper)３３と、復号器３５と、復調器３７と、送信モジュール３９とを備える。
【００３５】
受信機３は（送信機によって使用される特に変調及び符号のために）送信機２と対応する。よって、送信機内のシングルキャリア変調を用いる変形例に応じて、ＯＦＤＭ復調器はシングルキャリア復調に対応することにより置き換えられる。各アンテナ３０１〜３０Ｎrxは周波数Ｆ'１〜Ｆ'Ｎrx各々に関連付けられ、それにより送信機２によって用いられる周波数を毎回、受信機３によって受信することができる。周波数Ｆ１〜ＦＮtxのセットは周波数Ｆ'１〜Ｆ'Ｎrxのセットに含まれる。受信アンテナ数Ｎrxが送信アンテナ数Ｎtxと等しいならば、送信で用いられる周波数Ｆｉを、受信で用いられる周波数Ｆ'ｊに等しくすることができる。実際にはそれは必須ではない。
【００３６】
本発明の変形例によれば、受信機３によって用いられる周波数の数は送信機２によって用いられる周波数の数より少なく、送信機２によって送信される信号は冗長情報を含んでいる。受信機３は有利には（例えば、可能周波数中の周波数の走査によって）送信周波数のサブセットを選択し、受信アンテナにマッピングする。
【００３７】
本発明の変形例によれば、受信機３によって用いられる周波数の数が送信機２によって用いられる周波数の数より多い。受信機３は有利には全ての送信周波数を選択し、それらを受信アンテナにマッピングし、幾つかの周波数は幾つかのアンテナにマッピングされる。特定の実施形態によれば、受信品質レベルが最も低い、或いは雑音または干渉のレベルが最も高い周波数は、有利には幾つかのアンテナにマッピングされるが、他の周波数は１つのアンテナにマッピングされる。これは受信周波数の中の雑音レベルの平均化を可能にする。他の実施形態によれば、受信品質レベルが高い、或いは雑音または干渉のレベルが低い周波数は、有利には幾つかのアンテナにマッピングされるが、他の周波数は１つのアンテナにマッピングされる。これはＳＴＢＣ／ＳＦＢＣ符号化の利益を得ることを可能にする。
【００３８】
送信モジュール３９は少なくとも使用した周波数または可能周波数Ｆ'ｉにおいて受信品質について、或いは雑音レベルまたは干渉レベルについての情報を受信し、この情報は、例えば、ＯＦＤＭ復調器３１１〜３１Ｎrx（それら復調器内の復調部または同期部またはフロントエンド）から、および／または専用のモジュール（図３に示されていないノイズモジュールまたは干渉測定モジュール）から来る。よって、送信モジュール３９はフレームを作成してそれを送信機２に知らせるために送信する。送信モジュール３９は受信モジュール２９と対応する方法（例えば、無線または有線リンクを介して）により送信機２にそれらの情報の一部または全部を送信することができる。変形例によれば、送信モジュール３９は周波数を使用できるか否かを示すパラメータ、或いは各可能周波数またはその一部と関連付けられた受信品質レベル（または干渉レベル）を更に正確に示すパラメータと共に送信機２で使用することができる可能周波数内の周波数リストを送信する。例えば、それは幾つかの周波数は非常に雑音を含み、送信機２にそれらを使用しないことを勧める（要求する）ことを示すことができる。また、それは、干渉レベルの対応する雑音が高いまたは受信品質が低いとして幾つかの他の周波数を使用しない方が良いことを示すことができる。最終的に、それは信頼性がある幾つかの周波数を使用することを送信機２に勧めること、すなわち要求することができる。
【００３９】
変形例によれば、受信機３は、いつくかの特定の周波数を使用することを送信機２に要求するためまたは勧めるために専用の送信モジュール３９を実装しない（例えば、送信機２はどの周波数を使用することができるか判断するためセンサを用いているとき）。
【００４０】
実施の変形例によれば、復号器３５は空間多重化復号器（例えば、ＶＢＬＡＳＴ送信スキーム準拠）である。
【００４１】
図３に示された実施形態において、受信機３は、受信信号３０１〜３０ＮrxをＮrx*Ｎ行列、または等価的に(Ｎrx*Ｎ)*１vector Ｒによって表現することができるようにＮrx個のアンテナ３０１〜３０Ｎrxを備える。Ｎは例えば、２に等しく、ＳＴＢＣによって占有される時間範囲および／または周波数範囲を表す。
【００４２】
符号器２３と復号器３５との間の送信については次の式によって表現することができる。
【００４３】
【数１】
0005457367.tif 000002
【００４４】
ここで、各パラメータは次の通りである。
【００４５】
Ｒは複素(Ｎrx*Ｎ)*１の受信ベクトルである。
【００４６】
Ｈiは周波数／周波数間隔ｉ（周波数はマルチキャリア変調の搬送波に対応し、シングルキャリア変調を用いる変形例によれば間隔ｉは時間間隔に対応する）における複素Ｎrx*Ｎチャンネル行列である。
【００４７】
Ｈ＝diag(Ｈ1,...,ＨN)は時間／周波数間隔１〜Ｎにおける複素ブロック対角(Ｎ*Ｎrx)(Ｎ*Ｎtx)チャンネル行列である。
【００４８】
Ｃは複素(Ｎtx*Ｎ)*Ｑ  ＳＴＢＣ／ＳＦＢＣ符号化行列（例えば、Ｑ＝４，８）であり、ここでＱはＳＴＢＣ／ＳＦＢＣコードワード当たりの入力複素シンボルの数である。
【００４９】
Ｓは拡張変調シンボル（プリ復号化後）の複素Ｑ*１入力ベクトルである。(式1)のＣＳはＳＴＢ符号化信号を示す。符号化処理は複素行列乗算によって表現される。
【００５０】
νは自己相関行列Ｒν＝σ2ＩＮＮrxを伴う複素(Ｎ*Ｎrx)*１加法的白色ガウスノイズ（またはＡＷＧＮ）ベクトルである。ここで、ＩＮＮrxはサイズ(Ｎ*Ｎrx)(Ｎ*Ｎtx)の恒等行列であり、σ2はＡＷＧＮの分散を表す。
【００５１】
変形例によれば、空間／時間符号化処理は（複素数入力に代わって）実数入力で生ずる。よって、Ｃ行列は次元(２Ｎtx*Ｎ)*(２Ｑ)の実数の行列である。
【００５２】
受信信号を占有している加法的雑音及び干渉が白色でないとき、ホワイトニングフィルタが有利には復号器３５の前に実装される。σ2はその結果のホワイトニングされた雑音の分散を表す。
【００５３】
時間／周波数デマッパ３３はＯＦＤＭ復調器３１１〜３１Ｎrxから復調信号を受信し、逆マッピング（符号器２５のデュアル動作に対応する）を行う。時間／周波数デマッパ３３はデマッピングされた信号３４を復号器３５に供給する。
【００５４】
復号器３５は送信機２において実装された如き符号化に基づいている信号を復号するように適合された復号器であれば良い。特定の実施形態によれば、復号器３５はラティスデコーダであり、ＳＴＢＣ／ＳＦＢＣ符号化信号のＭＬ復号を行うように特によく適合されている。それは、E. Viterbo and J. Boutros により著された(IEEE Trans. Inform. Theory, vol. 45, pp. 1639- 1642, １９９９年7月発行) "A universal lattice code decoder for fading channel"またはCP. Schnorr and M. Euchnerにより著された（Math. ProGraming, vol. 66, pp. 181-191 , １９９４年発行)文献"Lattice basis reduction: Improved practical algorithms and solving subset sum problems"に開示された方法に基づいている。それらの文献は、格子に基づき、データを表す信号の受信後においてポイントの列挙及びポイントの選択を可能にするＭＬ再帰復号化アルゴリズムを開示している。その直径が信号／雑音比率に応じた球体において、ポイントが選択される。ＭＬポイントは球体において候補ポイントを列挙する（Boutros）ことにより、副格子における一連の投影(Schnorr／Euchner)により選択される。また、復号化については、出願人Thomson Licensing SAでの出願であって、発明の名称"Method of decoding of a multidimensional received signal and corresponding device"で出願された出願番号ＥＰ０６３０１０３９．１，ＥＰ０６３０１０３８．３及びＥＰ０６３０１０４１．７の特許出願、また、発明の名称"Method of decoding of a multidimensional received signal"で出願された出願番号ＥＰ０６３０１２２３．１の特許出願に開示された如き改善された復号器に実装されても良い。
【００５５】
有利には、復号器は周波数マッピングの特性を考慮して適合されている。例えば、ＯＦＤＭ変調器２７１〜２７Ｎtxに送信された信号が異なるコンステレーションを有する信号に対応するならば、復号器３５は異なる周波数Ｆ１〜ＦＮrxで受信されたコンステレーションに対応する受信信号を復号するように適合されている。有利には、復号器は送信側及び受信側のアンテナについての周波数マッピングを表す情報を受信し、そして、異なる周波数マッピングの一対（送信アンテナ、受信アンテナ）に対応する行列Ｈiのコンポーネントをゼロに割り当てる。これはＭＩＭＯ復号器の簡単化を可能にし、（それらのヌル値が雑音を含まないように）復号器の品質を改善する。
【００５６】
復号器３５は復号化した信号を復調器３７に送信する。復調器３７は復号化した信号３６を復調し、復調した信号（例えば、ビット）をアプリケーションに供給する。
【００５７】
受信機には本発明に従った多くの可能な変形例がある。
【００５８】
（前述の受信機に従った）他の変形例によれば、第１の変調はいずれかのデジタル変調、例えば、ｎＰＳＫ（ｎ位相値を有する位相シフトキーイング用）またはｎＱＡＭ（例えば、ｎは１６，３２，６４，２５６，．．．に等しい）であれば良い。
【００５９】
図４は送信機２のアーキテクチャ例を示している。
【００６０】
送信機２はデータ及びアドレスバス４４によって共通接続された次の要素、例えば、ＤＳＰ（デジタル信号プロセッサ）であるマイクロプロセッサ４１（ＣＰＵ）と、ＲＯＭ（リードオンリメモリ）４２と、ＲＡＭ（ランダムアクセスメモリ）４３と、アプリケーションからの送信データの受信のためのインターフェース４６と、無線チャンネルでの出力信号の送信のための送信モジュール４５（ＲＦ部及びアンテナを含む）と、信号受信のための（例えば、送信モジュール４５によって送信された信号の干渉レベル及び受信品質を示す）受信モジュール４７（ＲＦ部及びアンテナを含む）を備えている。
【００６１】
上記のメモリの各々において、明細書において使用される言葉「レジスタ」は小容量（幾つかのビット）の領域にまたは非常に大きい領域（例えば、全プログラムまたは大量の受信されたまたは復号されたデータ）に相当しても良い。
【００６２】
ＲＯＭ４２は、プログラム４２０と、レジスタ４２１に用いられ得る周波数Ｆ１〜Ｆmaxのセットと、（使用したＳＴＢＣ／ＳＦＢＣ符号、アンテナ数等の）ＳＴＢＣ／ＳＦＢＣパラメータ４２２を含む。
【００６３】
本発明による送信方法のアルゴリズムはＲＯＭ４２にストアされている。電源がオンされると、ＣＰＵ４１はＲＡＭ内のプログラム４２０を読み出し、対応する命令を実行する。
【００６４】
ＲＡＭ４３は、レジスタ４３０内の、ＣＰＵ４１によって実行され、送信機２の電源オン後に読み出されるプログラムと、レジスタ４３１内の入力データと、レジスタ４３２内の符号化方法の異なる状態の符号化データと、レジスタ４３３内の符号化のために用いられる他の変数と、レジスタ４３４内の実際に使用され、送信アンテナにマッピングする周波数Ｆ１〜ＦＮtxと、レジスタ４３５内の可能周波数Ｆ１〜Ｆmax毎の干渉レベルとを含む。
【００６５】
本発明の変形例によれば、情報レジスタ４３５は周波数毎に信頼の程度（例えば、「使用できる」周波数、「使用できない」周波数、「非常に良い」周波数）または周波数Ｆ１〜Ｆmax毎に干渉レベルのような他の情報を含む。
【００６６】
本発明の変形例によれば、送信機２のデジタル部は純粋なハードウエア構成（例えば、単独または対応するメモリを有する様々なＦＰＧＡ、ＡＳＩＣまたはＶＬＳＩ）またはＶＬＳＩ及びＤＳＰの両方を用いる構成において実装される。
【００６７】
図５は受信機３のアーキテクチャ例を示している。
【００６８】
受信機３はデータ及びアドレスバス５４によって共通接続された次の要素、例えば、ＤＳＰ（デジタル信号プロセッサ）であるマイクロプロセッサ５１（ＣＰＵ）と、ＲＯＭ（リードオンリメモリ）５２と、ＲＡＭ（ランダムアクセスメモリ）５３と、入力信号の受信のためにアンテナ及びＲＦ部を含む受信モジュール５５と、アプリケーションに復号化データの送信のためのインターフェース５６と、無線チャンネルでの出力信号の送信のための送信モジュール４５（ＲＦ部及びアンテナを含む）と、受信モジュール４７（モジュール５７はモジュール４７と対応する）への信号送信のための送信モジュール５７（ＲＦ部及びアンテナを含む）を備えている。
【００６９】
ＲＯＭ５２は、プログラム５２０と、（使用したＳＴＢＣ／ＳＦＢＣ符号、送信機２で使用された第１及び第２のコンステレーションを示す情報、受信アンテナ数等の）復号化パラメータ５２１と、レジスタ５２２で使用され得る周波数Ｆ１〜Ｆmaxのセットを含む。
【００７０】
本発明による受信方法のアルゴリズムはＲＯＭ５２にストアされている。電源がオンされると、ＣＰＵ５１はＲＡＭ内のプログラム５２０を読み出し、対応する命令を実行する。
【００７１】
ＲＡＭ４３は、レジスタ５３０内の、ＣＰＵ５１によって実行され受信機３の電源オン後に読み出されるプログラムと、レジスタ５３１内の入力データと、レジスタ５３２内の復号化データと、レジスタ５３３内の復号化のために用いられる他の変数と、レジスタ５３４内の送信のために実際に使用された周波数Ｆ１〜ＦＮtx、周波数Ｆ１〜ＦＮrx及び送信アンテナへのそれらのマッピングと、レジスタ５３５内の可能周波数Ｆ１〜Ｆmax毎の干渉レベルを含む。
【００７２】
本発明の変形例によれば、情報レジスタ５３５は周波数毎に信頼の程度、または周波数Ｆ１〜Ｆmax毎に干渉レベルのような他の情報を含む。
【００７３】
本発明の変形例によれば、受信機３のデジタル部は純粋なハードウエア構成（例えば、単独または対応するメモリを有する様々なＦＰＧＡ、ＡＳＩＣまたはＶＬＳＩ）またはＶＬＳＩ及びＤＳＰの両方を用いる構成において実装される。
【００７４】
図６はアンテナについて周波数マッピングの変更の第１のシナリオ例を示している。
【００７５】
水平軸は時間及び異なるアンテナ（例えば、示されたように第１の送信アンテナ６３１、第２の送信アンテナ６３２及び第Ｎtxのアンテナ６３Ｎtx）を表している。時間ｔ１前では全てのアンテナは周波数Ｆ１と関連付けられたチャンネルＣ１を用いている。時間ｔ１では、アンテナ６３１のマッピングは変更され、アンテナ６３１は周波数Ｆ２と関連付けられたチャンネルＣ２にシフトされる。受信品質が良好なら、すなわちｔ１前の受信品質よりも良いならば（例えば、受信機がこの情報を提供するならば）、その結果、時間ｔ２ではアンテナ６３２のマッピングは変更され、アンテナ６３２は同様に周波数Ｆ２と関連付けられたチャンネルＣ２にシフトされる。受信品質が良好なら、すなわちｔ２前の受信品質よりも良いならば、その結果、時間ｔ３ではアンテナ６３３のマッピングは変更され、アンテナ６３３は同様に周波数Ｆ２と関連付けられたチャンネルＣ２にシフトされる。
【００７６】
このシナリオによれば、送信アンテナについての周波数マッピングの変更は良好な、すなわちより良い受信を伴っている。図７は本発明に応じて起き得る他のシナリオを示している。図７において、時間ｔ'１前では、全てのアンテナは周波数Ｆ１と関連付けられたチャンネルＣ１を用いている。時間ｔ'１では、アンテナ６３１のマッピングが変更され、アンテナ６３１は周波数Ｆ２と関連付けられたチャンネルＣ２にシフトされる。受信品質が良好でないなら、すなわちｔ'１前の受信品質よりも悪いならば（例えば、受信機がこの情報を提供するならば）（例えば、時間７４に起きた干渉の存在のため）、その結果、時間ｔ'２ではアンテナ６３１のマッピングはＦ１に戻される。時間ｔ'１と時間ｔ'２との間において、送信は１つの周波数Ｆ２及び１つのアンテナ６３１では干渉される。逆に、通信は完全には中断されず、ロバスト性の良いレベルで保つことができる（全てのアンテナを周波数Ｆ１から周波数Ｆ２に移動するＤＦＳ技術システムの場合には通信は存在しなくなる）。
【００７７】
勿論、図６及び図７に開示されたシナリオ以外の他のシナリオについては後述するように予想することができる（例えば、マッピングされた周波数の数がより多いシナリオ、雑音がある周波数を管理する異なる方法）。
【００７８】
図８は本発明による送信方法の特定の実施形態を示している。その方法は送信機２において実施される。
【００７９】
送信は初期化ステップ８０で開始し、ここで、方法の異なる各パラメータがそれらの初期値にセットされる。このステップにおいて、初期周波数Ｆｊは可能送信周波数の中から選択され、その周波数Ｆｊは全てのアンテナ２８１〜２８Ｎtxについてマッピングされる。
【００８０】
そして、ステップ８１で、データがその周波数マッピングに応じてアンテナで送信される。
【００８１】
次いで、ステップ８２では、送信機は待機し、周波数の変更を伴うことが仮定されたイベントを得る。このイベントは例えば、周波数Ｆｊで検出された干渉、符号化ブロックの宛先として用いられたいずれかの受信機または１つの受信機における周波数Ｆｊでの（例えば、干渉、周波数Ｆｊでの雑音または周波数Ｆｊのフェーディングのため）信号の低受信品質に関する情報、受信機からのまたは管理ユニットからの要求である。
【００８２】
ステップ８２のイベントの発生後、ステップ８３でカウンタｉが１に初期化される。
【００８３】
更に、ステップ８４では、周波数Ｆｊと異なる周波数Ｆｋがｉ番目のアンテナ２８ｉについてマッピングされ、符号化ブロックの一部（データパケットの符号化により生じ、１つの符号化シンボルまたは幾つかの符号化シンボルに対応する符号化ブロック）がアンテナ２８１〜２８Ｎtxで送信され、符号化ブロックの一部はアンテナ２８１〜２８ｉで送信され、符号化ブロックの他の部分は他のアンテナ２８(i+1)〜２８Ｎtxで送信される。
【００８４】
次いで、テスト８５の間には、周波数Ｆｋでの受信品質が試される。異なる変形例によれば、このテストは受信機、センシングプローブ、および／または周波数Ｆｋで受信品質のレベルを提供することできる他の手段によって供給された情報を用いている。
【００８５】
テスト８５の結果が否定的であるならば、ステップ８９の間に初期周波数Ｆｉが全てのアンテナについてマッピングされ、ステップ８１が繰り返される。テスト８５の結果が否定的であるならば、例えば、受信品質（例えば、送信機または受信機における受信電力レベルおよび／またはエラー率および／または信号／雑音比率）が所定の閾値より低い、または他の周波数（例えば、Ｆｊ）での受信品質に対応する閾値より低いときである。
【００８６】
さもなければ、すなわちテスト８５の結果が肯定的であるならば、受信品質は十分（または閾値より高い）であり、ステップ８６でカウンタｉが１だけインクリメントされる。
【００８７】
次いで、テスト８７では最後のアンテナ２８Ｎtxが到達したか否かを調べることが実行され、カウンタｉがＮtxと比較される。
【００８８】
カウンタｉがＮtx以下であるならば、ステップ８４が繰り返される。
【００８９】
さもなければ、すなわちカウンタがＮtxより大であれば、ステップ８８の間に、全てのアンテナによって使用された周波数ＦｊがＦｋに割り当てられる。
【００９０】
要約すると、ステップ８１〜８８で開示された方法の実施形態においては、第１の周波数Ｆｊは全ての送信アンテナについてマッピングされ、周波数Ｆｊでの低受信品質に関するイベントの発生および／または（例えば、テスト目的のために）受信機または管理ユニットからの要求で、アンテナについて周波数のマッピングがスムーズに変更され、そして１つのまたは幾つかの符号化ブロックがこのマッピングにより送信され、このマッピングでの受信品質のテストを可能にする。受信品質（または対応する評価）が新しいマッピングについて十分であるならば、マッピングの変更は完全な変更まで進めることができる。さもなければ、初期マッピングが適用される。
【００９１】
マッピングのスムーズな変更は特にコグニティブ無線システム用に適しており、そのシステムにおいて送信機はチャンネルを検知し、空きチャンネルにて信号を送信する。本発明の変形例によれば、幾つかの周波数（例えば、２，３，．．．Ｎtxの異なる周波数）をアンテナについてマッピングしても良い。この変形例においては、ステップ８４の各繰り返しで、可能周波数の中の新しい周波数Ｆｋ（すなわち、前のアンテナＡ１〜Ａ(i-1)についてマッピングされた周波数とは異なる周波数Ｆｋ）がｉ番目のアンテナＡｉについてマッピングされる。
【００９２】
本発明の変形例によれば、テスト８５の結果が否定的であるならば、ステップ８９及びステップ８１の繰り返しに代えて、新しい周波数Ｆｋが選択される。この新しい周波数はステップ８４の最後の繰り返しアンテナＡｉについてマッピングされた周波数とは異なる。そして、ステップ８４がその新しい周波数Ｆｋで繰り返される。
【００９３】
更に、要約すると、信号を送信するために適合された幾つかの送信アンテナによって入力データパケット（例えば、ユニキャストアドレスまたはマルチキャストアドレスまたはブロードキャストアドレスである宛先アドレスを有する（例えば、ＩＥＥＥ８０２．１１またはＩＥＥＥ８０２．１６等の規格に定義された如き）パケットデータユニットまたはＰＤＵ）の送信方法は、第１のデータパケット（例えば、ＰＤＵ）を第１の符号化ブロック（符号化ブロックは例えば、空間時間ブロックまたは空間周波数ブロックである）に符号化するステップ、第１の送信周波数を少なくとも１つの送信アンテナを含む第１のセットにマッピングするステップ、前記第１の送信周波数と異なる第２の送信周波数を少なくとも１つの送信アンテナを含む第２のセットにマッピングするステップ、少なくとも１つの送信アンテナの前記第１のセット及び少なくとも１つの送信アンテナの前記第２のセットで前記第１の符号化ブロックを送信するステップを含み、第１の符号化ブロックの一部は前記第１のセットで送信され、第１の符号化ブロックの他の部分は前記第２のセットで送信される。
【００９４】
前記第１のセット及び第２のセットのアンテナの数はいずれかの値をとることができ、送信アンテナの合計数に制限されるだけである。送信アンテナへの周波数のマッピングは２つの異なる周波数のマッピングには制限されず、有利には２より大なる所定の数の異なる周波数のマッピングまで拡張することができ、各周波数のマッピングは送信アンテナの特定のセットに適用される。
【００９５】
本発明の変形例によれば、ステップ８４では送信電力レベルがアンテナについての周波数のマッピングに関連付けられる。この電力レベルは有利には、符号化ブロックの送信の間に電力が１つのまたは幾つかのアンテナの第１のセットに印加されるときには他のアンテナを含む第２のセットに印加される電力より低い。よって、１つのまたは幾つかのアンテナについてのマッピング後、第１のセットによって用いられる周波数に関する受信品質を調べることができる一方、第２のセットによって送信された信号の受信について第１のセットによって符号化ブロックの送信の影響が低いままとされるまたは制限される。第１のセットによって送信された信号の受信品質が良好で、および／または閾値（例えば、静的閾値または動的閾値（例えば、他の周波数での受信品質に従う））よりも良いならば、第１のセットのアンテナに印加される送信電力が増加される。この変形例によれば、合計の送信電力は（例えば、規定に準拠されるべき）一定のままにすることができる。よって、送信電力がアンテナの第１のセットで低くされるときアンテナの第２のセットのアンテナに印加される送信電力が有利には増加される。また、送信電力レベルの特定の管理に関するそれらの変形例は特にコグニティブ無線システム用に適したマッピングのスムーズな変更を可能にしており、それにより、無線システムは同じ位置の他の無線システムに応じてそれらの周波数マッピング及び電力レベルを調整することができる。
【００９６】
有利には、本発明の変形例によれば、送信機２は周波数マッピングを表す情報を、何らかの方法（例えば、特定のチャンネルで専用の無線信号を用いてまたは受信機によって既に使用された周波数（前にマッピングされた周波数を用いて）によって各受信機に送信する。よって、周波数検出することなくまたは受信機のより急速な適合を可能にすることなく、各受信機はそれ自身の受信周波数マッピングを適合させることができる。
【００９７】
図９は本発明による受信方法の特定の実施形態を示しており、その方法は受信機３において実施される。
【００９８】
受信は初期化ステップ９０で開始し、その方法の異なる各パラメータはそれらの初期値にセットされる。一般的に、デフォルト受信周波数マッピングが受信アンテナに適用される。
【００９９】
そして、ステップ９１の間に、受信機３は待機して無線チャンネルを通して送信機２によって送信された信号を受信する。
【０１００】
次いで、ステップ９２で、受信機３は送信周波数マッピングが変更されたか否かをチェックする。このチェックは例えば、どの受信周波数が用いられているかを調べる検出プローブから、または送信機２自身から（例えば、専用のチャンネルまたは受信機３によって同調されている周波数を介して）来る情報を用いる。
【０１０１】
送信周波数マッピングにおいて変更が起きないならば、ステップ９１が繰り返される。
【０１０２】
そうでなければ、送信周波数マッピングが検出され、受信機は使用された実際の送信周波数で受信アンテナについての受信周波数のマッピングを適合させる。受信アンテナ数が送信アンテナ数と同じであるならば、有利には受信アンテナに適用された周波数のマッピングを、送信機２において送信アンテナに適用された周波数のマッピングと同様にすることができる。例えば、第１の周波数が３つの送信アンテナに適用され、第２の周波数が２つの送信アンテナに適用されているならば、有利には第１の周波数は３つの受信アンテナについてマッピングされ、第２の周波数は２つの受信アンテナについてマッピングされる。
【０１０３】
本発明の変形例によれば、受信アンテナのマッピングは送信アンテナについてのマッピングと異なっていて良い（送信アンテナの数が同じであるかまたは異なる）。受信品質レベル（例えば、信号／雑音比率または信号／干渉比率が最も大きい）周波数は、有利には、送信機２によって使用されたマッピングに応じて、それらの周波数のために用いられるアンテナ数より多いアンテナについてマッピングされる。他の実施形態によれば、受信品質レベルが最も低い周波数は、有利には、送信機２によって使用されたマッピングに応じて、それらの周波数のために用いられるアンテナ数より少ないアンテナについてマッピングされる。
【０１０４】
本発明の変形例によれば、受信機は、使用した周波数に応じて受信品質を測定し、所定の周波数及び有利には各使用した周波数で少なくとも受信品質レベルを表す情報を送信する。その情報は第１の符号化ブロックを送信する送信機に送信される。
【０１０５】
更に、要約すると、信号を受信するために適合された幾つかの受信アンテナによるデータブロック（例えば、１つのまたは幾つかのデータパケットに適用された空間時間ブロックまたは空間周波数ブロックである符号化ブロック（またはユニキャストアドレスまたはマルチキャストアドレスまたはブロードキャストアドレス、例えば、ＰＤＵである宛先アドレスを含むデータフレーム））の受信方法は、少なくとも１つの受信アンテナを含む第１のセットに第１の受信周波数をマッピングするステップ、少なくとも１つの受信アンテナを含む第２のセットに前記第１の受信周波数と異なる第２の受信周波数をマッピングするステップ、少なくとも１つの送信アンテナの前記第１のセットでまたは少なくとも１つの送信アンテナの前記第２のセットで第１の符号化ブロックを受信するステップ、その受信した第１の符号化ブロックを第１のデータパケットに復号化するステップ（前記符号化ブロックは例えば、空間時間ブロックまたは空間周波数ブロックである）とを含み、前記第１の符号化ブロックを受信するステップでは、前記第１の符号化ブロックの一部が前記第１のセットで受信され、前記第１の符号化ブロックの他の部分が前記第２のセットで受信される。
【０１０６】
第１のセット及び第２のセットにおけるアンテナの数は何らかの値を取ることができ、受信アンテナの合計数に制限されるだけである。受信アンテナへの周波数のマッピングは２つの異なる周波数のマッピングに制限されず、有利には、２より大なる所定の数の異なる周波数のマッピングに拡張することができ、各周波数のマッピングは受信アンテナの特定のセットに適用される。
【０１０７】
受信方法は、有利には送信側のマッピングの変更に続いてマッピングのスムーズな変更を適用するようにしても良い。
【０１０８】
勿論、本発明は上記した実施形態に限定されない。
【０１０９】
本発明はどのようなタイプの無線リンク（２ポイント間リンク、無線ＬＡＮ、モバイルネットワーク、デジタル放送、衛星通信、....）ともコンパチブルである。図３に示された送信機及び図４に示された受信機は特定のアプリケーションと適合された要素（フロントエンド、変調器または復調器、ＭＡＣ層インターフェース、及び全ての他の通例の通信層要素）を備えている。本発明はデジタルビデオ放送（すなわちＤＶＢ（例えば、ＤＶＢ−Ｔ（地上波放送）、ＤＶＢ−Ｈ（ハンドヘルド）...）の送信及び受信に特に良く適合される。この場合、ディスクリート多次元符号化信号がデジタルビデオ放送信号を表すデータを含む。
【０１１０】
本発明は、有利には高スペクトル効率無線送信（ＭＩＭＯシステムおよび／またはｎＱＡＭ変調）において、特に高レート送信において用いられる。実際に、本発明については他の送信（例えば、ｎＱＰＳＫ変調，...）のために用いることができる。
【０１１１】
本発明によるＭＩＭＯ符号化によれば、受信機は、空間時間符号化されて少なくとも２つのアンテナで送信された信号を復号化する。空間時間符号化は空間時間ブロックコードに基づいて可能である。変形例によれば、空間時間符号化は単純な空間多重化であり、符号行列Ｃは恒等行列である。
【０１１２】
本発明は、有利には空間時間ブロックまたは空間周波数ブロックである符号化ブロックの送信または受信に適用され、そのようなブロックに含まれる情報が異なる送信周波数によって搬送される。また、本発明については同一のデータフレームに属するデータのセット等の他のタイプの符号化ブロックの送信または受信に適用することができる。
【図１】
0005457367.tif 000003
【図２】
0005457367.tif 000004
【図３】
0005457367.tif 000005
【図４】
0005457367.tif 000006
【図５】
0005457367.tif 000007
【図６】
0005457367.tif 000008
【図７】
0005457367.tif 000009
【図８】
0005457367.tif 000010
【図９】
0005457367.tif 000011